(57)【特許請求の範囲】
【請求項１】
バー本体に、切削刃支持台と、この支持台に対し回転のバランスをとるバランスウエイトとをそれぞれバー本体の軸線と直交する方向に移動調整可能に設けてなるボーリングバーにおいて、バランスウエイトの取付部外周を覆うカバーをバー本体に設け、該カバーは、バー本体に回転可能に外嵌されるリング体からなり、このリング体には、バランスウエイト移動調整用の回転操作具を挿入するための操作具挿入孔が設けられていることを特徴とするボーリングバー。
【請求項２】
前記リング体と前記バー本体との間には、リング体の軸方向移動を阻止すると共にリング体の回転を一定角度範囲に規制するストッパー手段が介設されていることを特徴とする請求項１に記載のボーリングバー。
【請求項３】
前記ストッパー手段は、バー本体の外周面所要部位に凹設された凹所と、この凹所に出没可能に嵌合されると共にばねによって常時凹所から突出するように付勢されるボールと、前記リング体の内周面に周方向所定長さに亘って条設され、前記ボールがスライド可能に係合する係合溝とからなることを特徴とする請求項２に記載のボーリングバー。
【請求項４】
前記係合溝の両端部には、前記ボールが係合溝よりも深く係合する位置決め用深溝部が形成されていることを特徴とする請求項３に記載のボーリングバー。
【請求項５】
バー本体にバランスウエイトをサイドロックするロックねじが設けられていることを特徴とする請求項１〜４のいずれかに記載のボーリングバー。
【請求項６】
リング体に設けられた前記操作具挿入孔を利用してロックねじ操作具が挿入されるようになっていることを特徴とする請求項５に記載のボーリングバー。
【請求項７】
バランスウエイトを移動調整するための調整ねじの端面とリング体の内周面との間にシール部材を介装してなることを特徴とする請求項１〜６のいずれかに記載のボーリングバー。
【発明の詳細な説明】
【０００１】
【発明の属する技術分野】
本発明は、各種中ぐり加工に使用されるボーリングバーに関するもので、特に、バー本体の軸線と直交する方向（バー本体の径方向）に移動調整可能に設けた切削刃支持台に対し、回転のバランスをとるためのバランスウエイトを前記軸線と直交する方向に移動調整可能に設けたボーリングバーに関する。
【０００２】
【従来の技術】
この種のボーリングバーにおいて、バランスウエイトとしては、外周にねじを切ったねじ軸からなるもの、あるいは中心部にねじ孔を貫設した角柱体からなるものがある。ねじ軸形のバランスウエイトは、バー本体の所要部にその軸線と直交する方向に設けたねじ孔に螺嵌し、その軸端に設けた角穴等の回転操作具係嵌用凹部に上記ねじ孔の開口端からドライバー等の回転操作具を挿入して係嵌し、ねじ軸を回転させることによって、切削刃支持台の移動に対応する移動調整を行い、また角柱形のバランスウエイトは、その角柱体をバー本体に設けた角穴にスライド可能に嵌合すると共に、角穴の一端側に回転のみ可能に保持されたねじ部材を角柱体のねじ孔に螺合し、そのねじ部材を回転操作具で回転させることによって移動調整を行っている。
【０００３】
【発明が解決しようとする課題】
上記のように切削刃支持台の移動に対するバランスウエイトの位置調整は、バー本体に設けたねじ孔や角穴の開口端部からねじ軸や角柱体の回転操作具係嵌用凹部に回転操作具を挿入し係嵌して回転させることにより誰でも簡単に行えるため、せっかく調整したバランスウエイトの設定位置を他人によって変えられてしまうという問題がある。また、切削加工中に、切削水が、上記バー本体のねじ孔や角穴からその内部の調整ねじ部に直接掛かって水浸しになるため、そのねじ部が動き難くなるという問題がある。
【０００４】
本発明は、バランスウエイトの調整部を他人に容易に触られないようにすると共に、その調整部に切削水が直接掛からないようにすることを課題とする。
【０００５】
【課題を解決するための手段】
請求項１に係る発明は、バー本体６に、切削刃支持台７と、この支持台７に対し回転のバランスをとるバランスウエイト８とをそれぞれバー本体の軸線Ｇと直交する方向に移動調整可能に設けてなるボーリングバー１において、バランスウエイト８の取付部外周を覆うカバーをバー本体６に設け、該カバーは、バー本体６に回転可能に外嵌されるリング体１０からなり、このリング体１０には、バランスウエイト移動調整用の回転操作具を挿入するための操作具挿入孔２４が設けられていることを特徴とする。
【０００７】
請求項２は、請求項１に記載のボーリングバー１において、リング体１０とバー本体６との間には、リング体１０の軸方向移動を阻止すると共にリング体１０の回転角度範囲を規制するストッパー手段２５が介設されていることを特徴とする。
【０００８】
請求項３は、請求項２に記載のボーリングバー１において、ストッパー手段２５は、バー本体６の外周面所要部位に凹設された凹所２８と、この凹所２８に出没可能に嵌合されると共にばね２９によって常時凹所から突出するように付勢されるボール３０と、前記リング体１０の内周面に周方向所定長さに亘って条設され、ボール３０がスライド可能に係合する係合溝３１とからなることを特徴とする。
【０００９】
請求項４は、請求項３に記載のボーリングバー１において、係合溝３１の両端部には、ボール３０が係合溝３１よりも深く係合する位置決め用深溝部３１ａ，３１ａが形成されていることを特徴とする。
【００１０】
請求項５は、請求項１〜４のいずれかに記載のボーリングバー１において、バー本体６にバランスウエイト８をサイドロックするロックねじ２６が設けられていることを特徴とする。
【００１１】
請求項６は、請求項５に記載のボーリングバー１において、前記ロックねじ２６は、リング体１０に設けられた前記操作具挿入孔２４を利用してロックねじ操作具が挿入されるようになっていることを特徴とする。
【００１２】
請求項７は、請求項１〜６のいずれかに記載のボーリングバーにおいて、バランスウエイト８ａを移動調整するための調整ねじ３４の端面４１とリング体１０の内周面との間にシール部材３７を介装するようになっていることを特徴とする。
【００１３】
【発明の実施の形態】
図１は本発明に係るボーリングバー１を示すもので、このボーリングバー１は、工作機械のスピンドルＳに嵌着されるテーパシャンク部２と、マニピュレータ用把持部３を介してテーパシャンク部２と同軸一体に連設された軸体部４と、この軸体部４に対し切離し可能に同軸状に連結されたヘッド部５とからなるバー本体６を有し、このバー本体６のヘッド部５に、切削刃支持台７と、この支持台７に対し回転のバランスをとるバランスウエイト８とがそれぞれバー本体の軸線と直交する方向に移動調整可能に設けられ、切削刃支持台７に切削刃９が支持され、そしてバランスウエイト８の取付部外周を覆うカバーとしてのリング体１０がバー本体６に設けられている。
【００１４】
上記ボーリングバー１の構造について詳細に説明すると、切削刃支持台７は、図１及び図２から分かるように、バー本体６のヘッド部５にバー本体６の軸線Ｇと直行する方向（バー本体６の直径方向）に貫通形成された角孔１１に摺動可能に嵌合された角軸状の第１部材７ａと、この第１部材７ａにボルト１２により一体的に連結された第２部材７ｂとからなり、この第２部材７ｂに切削刃９が取り付けられている。
【００１５】
前記角軸状第１部材７ａの一端側にはねじ穴１３が同心状に形成されていて、このねじ穴１３に回転軸体１４の雄ねじ部材１５が螺嵌されている。この雄ねじ部材１５は、回転軸体１４と同軸一体に設けられていると共に、ヘッド部５に固定された支持部材１６によって回転のみ可能に支持されており、また回転軸体１４の外端フランジ部１４ａにはドライバー等の回転操作具（図示せず）を係嵌する例えば六角穴からなる係嵌部１７が設けられている。従って、この係嵌部１７に回転操作具を係嵌して回転軸体１４を回転させることにより、切削刃支持台７をバー本体６の軸線Ｇと直行する方向に移動調整することができる。
【００１６】
図２において１８は、切削刃支持台７の移動を制限するために前記第１部材７ａにその軸方向所定長さだけ形成された溝１９にスライド可能に係入されたストッパーピン、２０は切削刃支持台７の第１部材７ａをサイドロックするロックねじで、回転操作具を係嵌する六角穴からなる係嵌部２０ａを有する。
【００１７】
バランスウエイト８は、図１に示すように、外周にねじを切った太くて短いねじ軸からなるもので、バー本体６のヘッド部５に軸線Ｇと直行する方向に貫通して設けられたねじ孔２１に螺嵌されており、このねじ軸からなるバランスウエイト８の一端面中央部に、ドライバー等の回転操作具（図示せず）を係嵌する例えば六角穴からなる係嵌部２２が設けられている。従って、この係嵌部２２に回転操作具を係嵌して回転させることにより、バランスウエイト８をバー本体６の軸線Ｇと直行する方向に移動調整することができる。
【００１８】
バランスウエイト８の取付部外周を覆うカバーとしてのリング体１０は、図１及び図３に示すように、ヘッド部５の外周面に周設された嵌合段部２３にヘッド本体９の軸線Ｇ周りに回転可能に外嵌されており、そしてこのリング体１０には、外側からドライバー等の回転操作具をバランスウエイト８の係嵌部２２に挿入するための操作具挿入孔２４が開口形成されている。また、リング体１０とバー本体６のヘッド部５との間には、リング体１０の軸方向移動を阻止すると共にリング体１０の回転を一定角度範囲、即ちこの場合９０度の範囲に規制するストッパー手段２５が介設されている。
【００１９】
また、バー本体６のヘッド部５には、バランスウエイト８をサイドロックするロックねじ２６が設けられ、このロックねじ２６の外端面にもドライバー等のロックねじ操作具（図示せず）を係嵌する例えば六角穴からなる係嵌部２７が設けてあって、この係嵌部２７には前記リング体１０に設けられた前記挿入孔２４を利用して上記ロックねじ操作具が挿入係嵌されるようになっている。上記ロックねじ２６は、図３から分かるように、バランスウエイト８の軸線ｇ１に対し周方向に９０度位相の異なった軸線ｇ２に沿って設けられている。
【００２０】
前記ストッパー手段２５は、ヘッド部５の外周面所要部位、即ちバランスウエイト８の軸線ｇ１と９０度位相の異なった軸線ｇ２上にあって前記ロックねじ２６と直径方向に対向する位置に凹設された凹所２８と、この凹所２８に出没可能に嵌合されると共にコイルばね２９によって常時凹所２８から突出するように付勢されるボール３０と、前記リング体１０の内周面に周方向９０度の範囲に亘って条設されていて前記ボール３０がスライド可能に係合する係合溝３１とからなるものである。
【００２１】
上述したカバー、即ちリング体１０は、図１及び図３を参照して分かるように、バランスウエイト８を螺嵌しているねじ孔２１の両端開口部をほとんど完全に覆っているため、切削加工中に、切削水がねじ孔２１からその内部に直接入ることがなく、従ってバランスウエイト８が動き難くなるようなおそれがなく、バランスウエイト８の移動調整を容易に行うことができる。
【００２２】
このリング体１０を使用するにあたり、切削刃支持台７の移動に対応してバランスウエイト８を移動調整するときは、図３の（Ａ）に示すように、リング体１０の操作具挿入孔２４がバランスウエイト８の回転操作具係嵌部２２と対応する位置に来るようにリング体１０を回転させればよく、しかしてこの位置で回転操作具をリング体１０の操作具挿入孔２４から挿入してバランスウエイト８の係嵌部２２に係嵌させ、バランスウエイト８を適宜に回転させて移動調整することができる。
【００２３】
こうしてバランスウエイト８を所定位置に移動調整した後、このバランスウエイト８をロックねじ２６によりサイドロックするときは、図３の（Ｂ）に示すように、リング体１０の操作具挿入孔２４がロックねじ２６と対応する位置に来るようにリング体１０を回転させればよく、しかしてこの位置で回転操作具を操作具挿入孔２４から挿入してロックねじ２６の係嵌部２７に係嵌させ、ロックねじ２６を締め込んでバランスウエイト８をサイドロックすることができる。
【００２４】
上記のようにバランスウエイト８を所定位置に移動調整し且つこれをロックねじ２６によりサイドロックした後は、図３の（Ｃ）に示すように、リング体１０の操作具挿入孔２４がバランスウエイト８の係嵌部２２とロックねじ２６の係嵌部２７との周方向中間位置に来るようにリング体１０を回転させておくと、いずれの係嵌部２２，２７も外部から全く見えなくなるから、バランスウエイト８やロックねじ２６を他人に勝手に触れられることがない。従って、通常はリング体１０を、同図（Ｃ）のような位置にセットしておくと好ましい。しかし、このようなリング体１０を設けたことだけでも、バランスウエイト８やロックねじ２６を他人に簡単に触れられることを防止できるため、通常でも同図の（Ａ）や（Ｂ）の位置にセットしておいてもよい。
【００２５】
また、リング体１０とバー本体６のヘッド部５との間にストッパー手段２５が設けてあるから、リング体１０の回転操作にあたって、このリング体１０を左右いずれかの方向へ一杯に回転すれば、リング体１０の操作具挿入孔２４が、バランスウエイト８の係嵌部２２またはロックねじ２６の係嵌部２７のいずれかと対応する位置に来るため、リング体１０の回転操作上、非常に便利である。また、このストッパー手段２５は、ヘッド部５の外周面所要部位に凹設された凹所２８と、この凹所２８に出没可能に嵌合されると共にコイルばね２９によって常時凹所２８から突出するように付勢されるボール３０と、リング体１０の内周面に周方向９０度の範囲に亘って条設されていてボール３０がスライド可能に係合する係合溝３１とからなるため、ストッパー手段の構造が簡単で、部材点数が少なく、その製作が容易となる。
【００２６】
図４は、上述したストッパー手段２５を形成する係合溝３１の両端部に、ボール３０が前記係合溝３１よりも深く係合する位置決め用深溝部３１ａ，３１ａを形成した実施形態を示したものである。これによれば、リング体１０の使用にあたり、リング体１０を左右いずれかの方向へ一杯に回転して、リング体１０の操作具挿入孔２４がバランスウエイト８の係嵌部２２またはロックねじ２６の係嵌部２７のいずれかと対応した位置で、リング体１０を軽くロックして当該位置に保持できるため、バランスウエイト８及びロックねじ２６に対するリング体１０の操作具挿入孔２４の位置決めを容易且つ的確に行うことができる。
【００２８】
図５は本発明の更に他の実施形態であり、ヘッド部５に縦方向に貫通孔２１ａを設けて、これにバランスウエイト８ａを嵌合し、このバランスウエイト８ａの中心部軸方向に雌ねじ孔３３を貫通して設け、これに調整ねじ３４をねじ込んで、その両端部を径小段部３５，３６に形成して両端面４１，４２をリング体１０に当接させ、径小段部３５，３６にＯリング３７，３８を介装し、バランスウエイト８ａの外周にはキー３９を突設し、貫通孔２１ａの内周にはキー溝４０を設け、また調整ねじ３４の一方の端面４１には係嵌部２２ａが設けられている。そして、バランスウエイト８ａを径方向に移動調整する際には、リング体１０に設けてある操作具挿入孔２４より操作具を挿入して調整ねじ３４の係嵌部２２ａに係嵌して調整ねじ３４を回転することにより、雌ねじ孔３３と調整ねじ３４との作用によって、バランスウエイト８ａはキー３９及びキー溝４０に案内されて径方向に移動調整される。
【００２９】
調整ねじ３４の両端面４１，４２はリング体１０の内周面に当接するだけであるが、該調整ねじ３４はバランスウエイト８ａに保持されているため、ねじ軸心に直交する方向に移動することがない。
【００３０】
特にこの実施形態にあっては、調整ねじ３４の両面部、特に操作具挿入孔２４を設けた側の端部に調整ねじ３４の端面４１とリング体１０の内周面とを密に保持するＯリング３７を介装するため、操作具挿入孔２４から貫通孔２１ａ内に切粉等の侵入の恐れがない。
【００３１】
【発明の効果】
請求項１に係る発明のボーリングバーによれば、バランスウエイトの取付部外周を覆うカバーをバー本体に設けているから、バランスウエイトの調整部を他人に容易に触れられることがなく、作業者本人による適正な作業を行うことができると共に、バー本体におけるバランスウエイト取付部外周の外観上の体裁を良くすることができ、またバランスウエイトの調整部に切削水が直接掛かるのを防止できるため、バランスウエイトの移動調整を容易に行うことができる。
【００３２】
また本発明によれば、前記カバーが、バー本体に回転可能に外嵌されるリング体からなり、このリング体に、バランスウエイト移動調整用の回転操作具を挿入するための挿入孔が設けてあるため、このカバーとしてのリング体を常時バー本体に装着しておくことができ、しかしてバランスウエイトの移動調整を行うときに前記操作具挿入孔がバランスウエイトの調整位置に来るようにリング体を回転させることにより、その位置でバランスウエイトの調整を行うことができ、また調整後はリング体を適宜に回転して、操作具挿入孔がバランスウエイトの調整位置から外れるようにすることにより、当該調整位置を外部から見えなくすることができ、一層他人に容易に触れられるおそれがなくなる。
【００３３】
請求項２によれば、前記リング体とバー本体との間に、リング体の軸方向移動を阻止すると共にリング体の回転を一定角度範囲に規制するストッパー手段を介設しているから、リング体がバー本体から離脱することがない上に、バランスウエイトの調整部に対するリング体の操作具挿入孔の位置決めを容易に行うことができる。
【００３４】
請求項３によれば、ストッパー手段を、ヘッド部の外周面所要部位に凹設された凹所と、この凹所に出没可能に嵌合されると共にばねによって常時凹所から突出するように付勢されるボールと、リング体の内周面に周方向所定長さに亘って条設されていて前記ボールがスライド可能に係合する係合溝とからなるため、ストッパー手段の構造が簡単で、部材点数が少なく、その製作が容易となる。
【００３５】
請求項４によれば、前記係合溝の両端部に、前記ボールが係合溝よりも深く係合する位置決め用深溝部を形成しているから、バランスウエイトの調整部に対するリング体の操作具挿入孔の位置決めが一層容易に且つ確実に行える。
【００３６】
請求項５によれば、バー本体にバランスウエイトをサイドロックするロックねじを設けているから、バランスウエイトの調整を行った後、その調整位置に確実にバランスウエイトを固定することができる。
【００３７】
請求項６によれば、リング体の前記操作具挿入孔を利用してロックねじ操作具が挿入されるようになっているから、前記操作具挿入孔がロックねじに対応する位置に来るようにリング体を回転させることによって、その位置でロックねじの操作を行うことができ、従ってリング体には操作具挿入孔を１つ開ければよく、製作が容易になると共に、外観上の体裁も良い。
【００３８】
請求項７によれば、バランスウエイトを移動調整するための調整ねじの端面とリング体の内周面との間にシール部材を介装してため、リング体に設けた操作具挿入孔から切粉等の塵埃がバランスウエイトを収容する貫通孔内に侵入することがなく、安定して且つ正確に使用することができる。
【図面の簡単な説明】
【図１】  本発明の実施形態であるボーリングバーを示す一部断面正面図である。
【図２】  図１のＸ−Ｘ線断面図である。
【図３】  （Ａ）〜（Ｃ）はそれぞれ図１のＹ−Ｙ線断面図であって、リング体の種々の回転位置を示している。
【図４】  図３と同様な断面図で、ストッパー手段の係合溝両端部に位置決め用深溝部を形成した実施形態を示している。
【図５】  更に他の実施形態であるボーリングバーの要部断面図である。
【符号の説明】
１            ボーリングバー
５            バー本体のヘッド部
６            バー本体
７            切削刃支持台
８，８ａ      バランスウエイト
９            切削刃
１０          リング体（カバー）
２１          ねじ孔
２２          係嵌部
２４          操作具挿入孔
２５          ストッパー手段
２６          ロックねじ
２７          係嵌部
２８          凹所
２９          コイルばね
３０          ボール
３１          係合溝
３１ａ        位置決め用深溝部
３７，３８    Ｏリング（シール部材）
Ｇ            バー本体の軸線
ｇ１          バランスウエイトの軸線
ｇ２          バランスウエイトの軸線と９０度位相の異なる軸線
【図１】
0003894617.tif 000002
【図２】
0003894617.tif 000003
【図３】
0003894617.tif 000004
【図４】
0003894617.tif 000005
【図５】
0003894617.tif 000006